(57)【要約】      （修正有）【課題】構造が比較的斬新であるほか、シンプルな構造で動作が安定的且つ確実な新型ファスナーロックを改造する。【解決手段】内部に装着空間２を有し、ファスナーが挿入される挿入孔３を更に有し、挿入孔３が装着空間２に連通している筐体１と、スライド可能に装着空間２内に装着されて、動作部が挿入孔３に係合するフックユニット４と、回動可能に装着空間２内に装着される回動プレート５であって、少なくとも２つの位置状態を有し、一の位置状態においてフックユニット４のスライドを規制可能であり、残りの位置状態においてフックユニット４のスライドを規制しない回動プレート５と、スライド可能にハウジングに設けられ、装着空間２内で延伸するとともに、回動プレート５を回動駆動可能であるロックシリンダユニットと、を含む。【選択図】図２
0003212282.tif 000002
【実用新案登録請求の範囲】
【請求項１】
内部に装着空間を有する筐体であって、ファスナーが挿入される挿入孔を更に有し、挿入孔が装着空間に連通している筐体と、
スライド可能に装着空間内に装着されて、動作部が挿入孔に係合するフックユニットと、
回動可能に装着空間内に装着される回動プレートであって、少なくとも２つの位置状態を有し、一の位置状態においてフックユニットのスライドを規制可能であり、残りの位置状態においてフックユニットのスライドを規制しない回動プレートと、
スライド可能にハウジングに設けられ、装着空間内で延伸するとともに、回動プレートを回動駆動可能であるロックシリンダユニットと、を含むことを特徴とする新型ファスナーロック。
【請求項２】
前記ロックシリンダユニットは、フックユニットに直接掛接されることを特徴とする請求項１に記載の新型ファスナーロック。
【請求項３】
前記ロックシリンダユニットは、伝動装置を介してフックユニットに伝動及び接続することを特徴とする請求項１に記載の新型ファスナーロック。
【請求項４】
前記伝動装置は、スライド可能に装着空間内に装着される伝動ロッドを含み、前記伝動ロッドは、一端がフックユニットに掛接され、他端がロックシリンダユニットに掛接され、
前記ロックシリンダユニットは、筐体の長さ方向にスライドすることを特徴とする請求項３に記載の新型ファスナーロック。
【請求項５】
前記伝動装置は、スライド可能に装着空間内に装着される伝動ロッドを含み、伝動ロッドの一端はフックユニットに掛接され、前記ロックシリンダユニットはハウジングの幅方向にスライドし、ロックシリンダユニットの外側壁には斜面が設けられ、前記伝動ロッドの他端は当該斜面に係合することを特徴とする請求項３に記載の新型ファスナーロック。
【請求項６】
前記回動プレートは３つの位置状態を有し、中間位置状態においてフックユニットのスライドを規制可能であり、
装着空間内には更にパスワードロックユニットが設けられ、パスワードロックユニットは回動プレートに接触し、パスワードロックユニットはパスワードローラと位置規制ローラを含み、位置規制ローラはパスワードローラに付随して回動し、位置規制ローラには凹溝が設けられ、前記回動プレートには突起が設けられ、パスワードが正しい場合には突起が凹溝に滑り込み、回動プレートがパスワードローラの方向へ回動して中間位置状態から離脱することを特徴とする請求項１に記載の新型ファスナーロック。
【請求項７】
前記ロックシリンダユニットは、ロックシリンダ受け及び回動可能にロックシリンダ受け内に装着されるシリンダを含み、シリンダの下方にはアンギュラカムが設けられ、当該アンギュラカムは、回動プレートに係合される螺旋状曲面を備えることを特徴とする請求項６に記載の新型ファスナーロック。
【考案の詳細な説明】
【技術分野】
【０００１】
本考案はバゲージロック分野に関し、特に、新型ファスナーロックに関する。
【背景技術】
【０００２】
ファスナーロックはバゲージに常用される鍵であり、使用者のプライバシー保護や盗難防止の役割を果たすことから、たいへん幅広く用いられている。しかし、従来のファスナーロックは構造が単一的であり、品種に限りがあるため、顧客にとっては選択の幅が狭かった。そこで、本考案は、顧客に更なる選択肢を提示し、多様化に対する顧客のニーズを満たすとともに、従来のファスナーロックにおける課題を解決するための新型ファスナーロックを提供する。
【考案の概要】
【考案が解決しようとする課題】
【０００３】
上記の課題を解決するために、本考案は新型ファスナーロックを提供する。
【課題を解決するための手段】
【０００４】
本考案は、技術的課題を解決するために以下の技術方案を用いる。
【０００５】
新型ファスナーロックであって、内部に装着空間を有する筐体であって、ファスナーが挿入される挿入孔を更に有し、挿入孔が装着空間に連通している筐体と、スライド可能に装着空間内に装着されて、動作部が挿入孔に係合するフックユニットと、回動可能に装着空間内に装着される回動プレートであって、少なくとも２つの位置状態を有し、一の位置状態においてフックユニットのスライドを規制可能であり、残りの位置状態においてフックユニットのスライドを規制しない回動プレートと、スライド可能にハウジングに設けられ、装着空間内で延伸するとともに、回動プレートを回動駆動可能であるロックシリンダユニットと、を含む。
【０００６】
前記ロックシリンダユニットは、フックユニットに直接掛接される。
【０００７】
前記ロックシリンダユニットは、伝動装置を介してフックユニットに伝動及び接続する。
【０００８】
前記伝動装置は、スライド可能に装着空間内に装着される伝動ロッドを含み、前記伝動ロッドは、一端がフックユニットに掛接され、他端がロックシリンダユニットに掛接され、前記ロックシリンダユニットは、筐体の長さ方向にスライドする。
【０００９】
前記伝動装置は、スライド可能に装着空間内に装着される伝動ロッドを含み、伝動ロッドの一端はフックユニットに掛接され、前記ロックシリンダユニットはハウジングの幅方向にスライドし、ロックシリンダユニットの外側壁には斜面が設けられ、前記伝動ロッドの他端は当該斜面に係合する。
【００１０】
前記回動プレートは３つの位置状態を有し、中間位置状態においてフックユニットのスライドを規制可能であり、装着空間内には更にパスワードロックユニットが設けられ、パスワードロックユニットは回動プレートに接触し、パスワードロックユニットはパスワードローラと位置規制ローラを含み、位置規制ローラはパスワードローラに付随して回動し、位置規制ローラには凹溝が設けられ、前記回動プレートには突起が設けられ、パスワードが正しい場合には突起が凹溝に滑り込み、回動プレートがパスワードローラの方向へ回動して中間位置状態から離脱する。
【００１１】
前記ロックシリンダユニットは、ロックシリンダ受け及び回動可能にロックシリンダ受け内に装着されるシリンダを含み、シリンダの下方にはアンギュラカムが設けられ、当該アンギュラカムは、回動プレートに係合される螺旋状曲面を備える。
【考案の効果】
【００１２】
本考案によれば、以下の有益な効果が得られる。即ち、上記の構造を採用する本考案によれば、筐体内に装着空間を設けることで、フックユニット及び回動プレートが装着空間に配置される。また、ロックシリンダユニットによって回動プレートの回動を制御することで、ロック解除を制御するとの目的が達せられる。当該構造は比較的斬新であるほか、シンプルな構造で動作が安定的且つ確実であり、顧客に対し更なる選択肢が提供される。
【００１３】
以下に、図面と実施例を組み合わせて本考案を更に説明する。
【図面の簡単な説明】
【００１４】
【図１】本考案の第１実施形態を示す図である。
【図２】本考案の第１実施形態を示す分解図である。
【図３】本考案の第２実施形態を示す図である。
【図４】本考案の第２実施形態を示す分解図である。
【図５】本考案の第３実施形態を示す図である。
【図６】本考案の第３実施形態を示す分解図である。
【考案を実施するための形態】
【００１５】
本考案の第１実施形態を示す図１〜図２を参照する。本考案の新型ファスナーロックは、内部に装着空間２を有する筐体１であって、ファスナーが挿入される挿入孔３を更に有し、挿入孔３が装着空間２に連通している筐体１と、スライド可能に装着空間２内に装着されて、動作部が挿入孔３に係合する一組のフックユニット４と、回動可能に装着空間２内に装着される回動プレート５であって、３つの位置状態を有し、中間位置状態においてフックユニット４のスライドを規制可能であり、残りの位置状態においてフックユニット４のスライドを規制しない回動プレート５と、スライド可能にハウジングに設けられ、装着空間２内で延伸するとともに、回動プレート５を回動駆動可能であるロックシリンダユニットと、を含む。
【００１６】
装着空間２内には更にパスワードロックユニットが設けられ、パスワードロックユニットは回動プレート５に接触する。パスワードロックユニットは、パスワードローラ６と位置規制ローラ７を含み、位置規制ローラ７はパスワードローラ６に付随して回動する。位置規制ローラ７には凹溝が設けられ、回動プレート５には突起８が設けられる。パスワードが正しい場合には突起８が凹溝に滑り込み、回動プレート５がパスワードローラ６の方向へ回動して中間位置状態から離脱する。ロックシリンダユニットは、ロックシリンダ受け９及び回動可能にロックシリンダ受け９内に装着されるシリンダ１０を含む。シリンダ１０の下方にはアンギュラカム１１が設けられ、当該アンギュラカム１１は、回動プレート５に係合される螺旋状曲面１２を備える。
【００１７】
本実施形態において、ロックシリンダユニットはフックユニット４に直接掛接される。
【００１８】
上記の構造を採用する本考案によれば、筐体１内に装着空間２を設けることで、フックユニット４及び回動プレート５が装着空間２に配置される。また、ロックシリンダユニットによって回動プレート５の回動を制御することで、ロック解除を制御するとの目的が達せられる。当該構造は比較的斬新であるほか、シンプルな構造で動作が安定的且つ確実であり、顧客に対し更なる選択肢が提供される。上記の構造を採用する本考案の具体的動作原理は次のようになる。即ち、鍵でシリンダ１０を回動させると、アンギュラカム１１がこれに付随して回動する。すると、アンギュラカム１１上の螺旋状曲面１２が回動プレート５に係合し、回動プレート５が下方に回動するよう押動する結果、回動プレート５はフックユニット４のスライドを阻止することがなくなる。このとき、ロックシリンダユニットがスライドし、フックユニット４を直接スライドさせることで、ファスナーロックの解除が実現される。また、パスワードローラ６を正しい位置に回動させてもよい。この場合、突起８が凹溝に滑り込み、回動プレート５がバネの作用によりパスワードローラ６の方向へ回動して中間位置状態から離脱する。これにより、回動プレート５がフックユニット４のスライドを阻止することがなくなる。このとき、ロックシリンダユニットがスライドし、フックユニット４を直接スライドさせることで、ファスナーの解除が実現される。
【００１９】
図３〜図４は、本考案の第２実施形態を示す。第２実施形態は第１実施形態とほぼ同じであるが、フックユニット４が２組設けられている点と、ロックシリンダユニットが伝動装置を介してフックユニット４に伝動及び接続する点において異なる。２組のフックユニット４は、ロックシリンダユニットの両側に位置する。伝動装置は、スライド可能に装着空間２内に装着される伝動ロッド１３を２つ含む。伝動ロッド１３は、ロックシリンダユニットの両側にそれぞれ位置する。伝動ロッド１３は、一端がフックユニット４に掛接され、他端がロックシリンダユニットに掛接される。ロックシリンダユニットは、筐体１の長さ方向にスライドする。鍵又は正しい位置のパスワードローラ６によって回動プレート５が回動駆動し、中間位置から偏移すると、ロックシリンダユニットが左右に押動されることで伝動ロッド１３が筐体１の長さ方向に直接スライドさせられる。そして、伝動ロッド１３がフックユニット４を直接スライドさせることで、ファスナーのロックが解除される。本実施形態では、ロックシリンダユニットが筐体１の長さ方向に沿って左右にスライドすることで、右側及び左側のフックユニット４にそれぞれ開放動作を行わせる。よって、斬新な構造で、使用しやすく、動作が安定的且つ確実である。
【００２０】
図５〜図６は本考案の第３実施形態を示す。第３実施形態は第２実施形態とほぼ同じであるが、以下の点において異なる。即ち、伝動装置はスライド可能に装着空間２内に装着される伝動ロッド１３を含み、伝動ロッド１３の一端がフックユニット４に掛接される。また、ロックシリンダユニットはハウジングの幅方向にスライドする。ロックシリンダユニットの外側壁には斜面１４が設けられており、伝動ロッド１３の他端が当該斜面１４に係合する。本実施形態において、ロックシリンダユニットが筐体１の幅方向にスライドするよう押動されると、斜面１４と伝動ロッド１３との係合によって、伝動ロッド１３が装着空間２内でスライド駆動される。更に、伝動ロッド１３がフックユニット４を動作させることで、フックユニット４が開放される。ロックシリンダユニットを前後にスライドさせる開放方式は斬新であり、使用しやすく、動作が安定的且つ確実である。
【００２１】
上記の実施例は本考案の好ましい方案にすぎず、本考案には更に他の実施形態も存在する。当業者は、本考案の精神から逸脱しないことを前提に、更に等価の変形又は置き換えが可能である。これら等価の変形又は置き換えは、いずれも本願請求項が設定する範囲に包含される。
【符号の説明】
【００２２】
１  筐体
２  装着空間
３  挿入孔
４  フックユニット
５  回動プレート
【図１】
0003212282.tif 000003
【図２】
0003212282.tif 000004
【図３】
0003212282.tif 000005
【図４】
0003212282.tif 000006
【図５】
0003212282.tif 000007
【図６】
0003212282.tif 000008